(57)【特許請求の範囲】
【請求項１】
押ボタンを初期位置である第１の高さ位置と、前記第１の高さ位置から上昇させた第２の高さ位置と、に昇降可能な遊技機用押ボタン装置を支持する遊技機用押ボタンの支持構造であって、
前記遊技機用押ボタン装置は、遊技機の前面側に突出する突出部における、遊技球を一時的に貯留する受皿の傾斜面に配置され、
前記受皿の前記傾斜面は、前記受皿の外郭線に対して凹んだ凹部を有し、該凹部に前記遊技機用押ボタン装置が位置し、
前記凹部は、該凹部の傾斜方向における下方側に開口する開口部を有すること、
を特徴とする遊技機用押ボタン装置の支持構造。
【請求項２】
前記遊技機用押ボタン装置は、前記押ボタンの押下面が前記傾斜面に沿って配置されるとともに、前記遊技機の上下方向に沿って昇降可能に支持されること、
を特徴とする請求項１記載の遊技機用押ボタン装置の支持構造。
【請求項３】
前記遊技機用押ボタン装置は、前記押ボタンの押下面が前記傾斜面に沿って配置されるとともに、前記傾斜面に対して略直交方向に昇降可能に支持されたこと、
を特徴とする請求項１記載の遊技機用押ボタン装置の支持構造。
【発明の詳細な説明】
【技術分野】
【０００１】
本発明は、遊技機の各種演出に利用可能な押ボタンを初期位置である第１の高さ位置と、この第１の高さ位置から上昇させた第２の高さ位置とに昇降可能な遊技機用押ボタン装置を支持する遊技機用押ボタン装置の支持構造に関する。
【背景技術】
【０００２】
従来、遊技機の一種であるパチンコ遊技機では、例えば、遊技盤面に配置された図柄変動表示装置がリーチ状態になった際、チャンスボタンと称される押ボタンを遊技者が押すことで、図柄変動表示装置の図柄の変動パターンを変更させることが可能になり、遊技に多様性を持たせたものが知られている。
【０００３】
このとき、遊技者にインパクトを与えるために、押ボタンを初期位置である第１の高さ位置から第２の高さ位置に上昇させたり、第２の高さ位置から第１の高さ位置に下降させたりすること、すなわち、遊技機の本体に対して昇降可能な昇降手段を備えた遊技機用押ボタン装置が知られている。
【０００４】
このように、遊技者にインパクトを与えるために、押ボタンを遊技機の本体に対して昇降可能な昇降手段を備えたものとして、例えば、特許文献１には、スプリングの付勢力により押ボタンを上昇させ、遊技機用押ボタンスイッチに関する技術が開示されている。
【先行技術文献】
【特許文献】
【０００５】
【特許文献１】特開２００９−２９７２５８号公報
【発明の概要】
【発明が解決しようとする課題】
【０００６】
ところで、上記特許文献１は、当該文献の図１に示すように、押ボタンを遊技機の本体に対して上下動させることで、遊技者にインパクトを与えることが可能であるが、あらかじめ決められたタイミングになると無条件に押ボタンが突出してしまう。
【０００７】
このように、押ボタンを遊技機の本体に対して上下動させるために、押ボタンの上面が遊技機に対し、遊技者側に向かって直交して配置されている場合、例えば、押ボタンの上に飲料などの物が置かれてしまうと、押ボタンが上昇する際、物が落下したり、飲料がこぼれてしまい、押ボタンの昇降動作を妨げてしまうという技術的課題がある。
【０００８】
本発明の目的は、上記従来の実状を鑑みて、押ボタンを遊技機の本体に対して昇降させることで、遊技者にインパクトを与えることが可能であるとともに、押ボタンの上面に物を載せないように施すことで、押ボタンの昇降動作を妨げないようにすることが可能な遊技機用押ボタン装置の支持構造を提供することにある。
【課題を解決するための手段】
【０００９】
上記課題を解決するために、本発明に係る遊技機用押ボタン装置の支持構造は、遊技機の前面側に設けられ、押ボタンを初期位置である第１の高さ位置と、上記第１の高さ位置から上昇させた第２の高さ位置と、に昇降可能な遊技機用押ボタン装置を支持するものであって、上記遊技機用押ボタン装置は、遊技機の前面側に突出する突出部における、遊技球を一時的に貯留する受皿の傾斜面に配置され、上記受皿の上記傾斜面は、上記受皿の外郭線に対して凹んだ凹部を有し、この凹部に上記遊技機用押ボタン装置が位置し、上記凹部は、この凹部の傾斜方向における下方側に開口する開口部を有すること、を特徴とする。
【発明の効果】
【００１０】
本発明によれば、押ボタンを遊技機の本体に対して昇降させることで、遊技者にインパクトを与えることが可能であるとともに、押ボタンの上面に物を載せないように施すことで、押ボタンの昇降動作を妨げないようにすることが可能な遊技機用押ボタン装置の支持構造を提供することができる。
【図面の簡単な説明】
【００１１】
【図１Ａ】本発明の一実施の形態である遊技機の構成について、遊技機用押ボタン装置が第１の高さ位置に位置する状態を前方から模式的に示す表面斜視図である。
【図１Ｂ】本発明の一実施の形態である遊技機の構成について、遊技機用押ボタン装置が第１の高さ位置に位置する状態を側方から模式的に示す側面図である。
【図２Ａ】本発明の一実施の形態である遊技機の構成について、遊技機用押ボタン装置が第２の高さ位置に位置する状態を前方から模式的に示す表面斜視図である。
【図２Ｂ】本発明の一実施の形態である遊技機の構成について、遊技機用押ボタン装置が第２の高さ位置に位置する状態を側方から模式的に示す側面図である。
【図３Ａ】本発明の一実施の形態である遊技機の遊技機用押ボタン装置の構成を前方から模式的に示す正面図である。
【図３Ｂ】本発明の一実施の形態である遊技機の遊技機用押ボタン装置の構成を前方から模式的に示す表面斜視図である。
【図３Ｃ】本発明の一実施の形態である遊技機の遊技機用押ボタン装置の構成を後方から模式的に示す裏面斜視図である。
【図４】本発明の一実施の形態である遊技機の遊技機用押ボタン装置の分解した状態を模式的に示す分解斜視図である。
【図５】図３Ｂにおける線Ｉ−Ｉ´を模式的に示す断面図である。
【図６Ａ】本発明の一実施の形態である遊技機の遊技機用押ボタン装置の第１の動作を模式的に示す正面図である。
【図６Ｂ】本発明の一実施の形態である遊技機の遊技機用押ボタン装置の第２の動作を模式的に示す正面図である。
【図６Ｃ】本発明の一実施の形態である遊技機の遊技機用押ボタン装置の第３の動作を模式的に示す正面図である。
【図６Ｄ】本発明の一実施の形態である遊技機の遊技機用押ボタン装置の第４の動作を模式的に示す正面図である。
【図６Ｅ】本発明の一実施の形態である遊技機の遊技機用押ボタン装置の第５の動作を模式的に示す正面図である。
【図６Ｆ】本発明の一実施の形態である遊技機の遊技機用押ボタン装置の第６の動作を模式的に示す正面図である。
【図６Ｇ】本発明の一実施の形態である遊技機の遊技機用押ボタン装置の第７の動作を模式的に示す正面図である。
【図７Ａ】本発明の他の実施の形態である遊技機の構成について、遊技機用押ボタン装置が第１の高さ位置に位置する状態を前方から模式的に示す表面斜視図である。
【図７Ｂ】本発明の他の実施の形態である遊技機の構成について、遊技機用押ボタン装置が第１の高さ位置に位置する状態を側方から模式的に示す側面図である。
【図８Ａ】本発明の他の実施の形態である遊技機の構成について、遊技機用押ボタン装置が第２の高さ位置に位置する状態を前方から模式的に示す表面斜視図である。
【図８Ｂ】本発明の他の実施の形態である遊技機の構成について、遊技機用押ボタン装置が第２の高さ位置に位置する状態を側方から模式的に示す側面図である。
【図９Ａ】本発明の他の実施の形態である遊技機の構成について、遊技機用押ボタン装置が第１の高さ位置に位置する状態を前方から模式的に示す表面斜視図である。
【図９Ｂ】本発明の他の実施の形態である遊技機の構成について、遊技機用押ボタン装置が第１の高さ位置に位置する状態を側方から模式的に示す側面図である。
【図１０Ａ】本発明の他の実施の形態である遊技機の構成について、遊技機用押ボタン装置が第２の高さ位置に位置する状態を前方から模式的に示す表面斜視図である。
【図１０Ｂ】本発明の他の実施の形態である遊技機の構成について、遊技機用押ボタン装置が第２の高さ位置に位置する状態を側方から模式的に示す側面図である。
【発明を実施するための形態】
【００１２】
以下、図面を参照しながら、本発明の実施の形態について詳細に説明する。なお、遊技機には、例えば、パチンコ遊技機、アレンジボール機又は雀球遊技機等があるが、本発明の実施の形態では、一例として、パチンコ遊技機に基づいて説明する。
【００１３】
（実施の形態１）
まず、本発明の一実施の形態である遊技機１００の構成について、図１Ａ、図１Ｂ、図２Ａ及び図２Ｂを用いて説明する。図１Ａは、本発明の一実施の形態である遊技機１００の構成について、遊技機用押ボタン装置１０が第１の高さ位置に位置する状態を前方から模式的に示す表面斜視図であり、図１Ｂは、本発明の一実施の形態である遊技機１００の構成について、遊技機用押ボタン装置１０が第１の高さ位置に位置する状態を側方から模式的に示す側面図である。
【００１４】
また、図２Ａは、本発明の一実施の形態である遊技機１００の構成について、遊技機用押ボタン装置１０が第２の高さ位置に位置する状態を前方から模式的に示す表面斜視図であり、図２Ｂは、本発明の一実施の形態である遊技機１００の構成について、遊技機用押ボタン装置１０が第２の高さ位置に位置する状態を側方から模式的に示す側面図である。
【００１５】
図１Ａ、図１Ｂ、図２Ａ及び図２Ｂに例示されるように、本実施の形態において、遊技機１００は、遊技機１００の外郭を形成する支持体１１０と、支持体１１０の側板１１３を軸にして回動可能となるように支持体に支持された図示しない透過部材保持枠及び遊技盤保持枠とを備えて構成されている。
【００１６】
支持体１１０は、上板１１１、下板１１２、側板１１３、側板１１４からなる四辺の夫々を図示しない連結金具により連結させて、略長方形状の囲繞空間を有して構成されている。これら上板１１１、下板１１２、側板１１３、側板１１４の材質は、変形や歪みが生じにくい木材等が用いられている。
【００１７】
上板１１１及び側板１１３を連結する連結金具と、側板１１３及び下板１１２を連結する連結金具とには、遊技機１００の前面側に突出した位置で互いに対向して配置された一対の図示しないヒンジが設けられている。
【００１８】
この一対のヒンジには、透過部材保持枠及び遊技盤保持枠が連結され、上述したように、支持体１１０の側板１１３を軸にして回動可能となるように支持体１１０に支持されている。
【００１９】
具体的には、透過部材保持枠には、この透過部材保持枠の側辺の上方に突出する図示しない枢支軸及び側辺の下方に突出する図示しない枢支軸が設けられ、これら枢支軸がヒンジに回動可能となるように支持されている。
【００２０】
このように、透過部材保持枠の枢支軸がヒンジに回動可能となるように支持されることで、透過部材保持枠が支持体１１０の側板１１３を軸にして回動可能となるように支持されている。
【００２１】
透過部材保持枠も支持体１１０と同様に、上辺、下辺、側辺、側辺からなる四辺によって略長方形状の囲繞空間を有して構成されている。この透過部材保持枠の囲繞空間には、図示しない遊技盤に対向して配置され、遊技盤を被装する透過部材１２０が配置されている。これら上辺、下辺、側辺、側辺の材質は、軽量化や装飾性の向上の目的から合成樹脂性とすることが望ましく、好ましくは、補強金具を固定して歪みや変形を防止するとよい。
【００２２】
本実施の形態の透過部材１２０は、合成樹脂を用いて形成されている。なお、透過部材１２０の材質については、合成樹脂に限定されず、透過部材１２０を介して遊技盤を遊技者側から目視可能なものであれば、例えば、ガラス板等により形成しても良い。
【００２３】
遊技盤保持枠も支持体１１０及び透過部材保持枠と同様に、上辺、下辺、側辺、側辺からなる四辺によって略長方形状の囲繞空間を有して構成されている。この遊技盤保持枠の囲繞空間には、図示しない遊技盤が配置されている。
【００２４】
なお、これら透過部材保持枠及び遊技盤保持枠を支持体１１０に対して閉じた状態では、支持体１１０、透過部材保持枠及び遊技盤保持枠が全て略平行に配置されている。
【００２５】
すなわち、透過部材保持枠及び遊技盤保持枠を閉じた状態では、遊技盤に対して所定の間隔を維持して透過部材１２０が対向して配置されることで、遊技盤の前面が透過部材１２０により覆われている。
【００２６】
また、遊技機１００の前面、すなわち、透過部材保持枠の前面には、遊技球を発射させるための操作ハンドル１０１、遊技球を溜める上皿１０２などが配置されている。本実施の形態において、上皿１０２は、遊技機１００に対し、遊技者側に向かって略直交する直交面１０２ａと、この直交面１０２ａに連接して配置され、直交面１０２ａから下方に向かって傾斜する傾斜面１０２ｂとを有して形成されている。
【００２７】
そして、この上皿１０２の傾斜面１０２ｂには、遊技機用押ボタン装置１０が設けられている。遊技機用押ボタン装置１０は、押ボタン１１を初期位置である第１の高さ位置と、この第１の高さ位置から上昇させた第２の高さ位置との間での昇降動作を可能にしている。
【００２８】
すなわち、本実施の形態の遊技機用押ボタン装置１０は、上述したように、上皿１０２の傾斜面１０２ｂに設けられているため、押ボタン１１の昇降動作の方向を遊技機１００に対して遊技者側に向かって傾斜させて支持されている。
【００２９】
このように、本実施の形態の遊技機用押ボタン装置１０は、上皿１０２の傾斜面１０２ｂに設けられ、押ボタン１１の昇降動作の方向を遊技機１００に対して遊技者側に向かって傾斜させて支持されることで、押ボタン１１の上面も傾斜させて支持されている。
【００３０】
したがって、遊技者が押ボタン１１の上面に物を載せたとしても、上述したように、押ボタン１１の上面が傾斜しているため、物が下方に滑って落ちてしまう。よって、本実施の形態の遊技機用押ボタン装置１０の上面には、常に、物が置けないようになっているため、押ボタン１１の昇降動作を妨げないようにすることができる。
【００３１】
以下、本実施の形態の遊技機用押ボタン装置１０の構成について、図３Ａ、図３Ｂ、図３Ｃ、図４及び図５を用いて説明する。まず、本実施の形態の遊技機用押ボタン装置１０の外部構成について図３Ａ、図３Ｂ及び図３Ｃを用いて説明する。図３Ａは、本発明の一実施の形態である遊技機１００の遊技機用押ボタン装置１０を模式的に示す正面図であり、図３Ｂは、本発明の一実施の形態である遊技機１００の遊技機用押ボタン装置１０の表面側を模式的に示す表面斜視図であり、図３Ｃは、本発明の一実施の形態である遊技機１００の遊技機用押ボタン装置１０の裏面側を模式的に示す裏面斜視図である。
【００３２】
図３Ａ、図３Ｂ及び図３Ｃに例示されるように、本実施の形態の遊技機用押ボタン装置１０は、遊技者が押下する押ボタン１１の昇降動作を可能にするものであり、押ボタン１１を第１の高さ位置と第２の高さ位置との間で昇降させる昇降手段（支持部材２０）と、支持部材２０を上方向に上昇させる付勢手段（付勢部材３０）と、付勢部材３０により支持部材２０を上昇させた後に、支持部材２０を上昇させる昇降手段（第１の歯車機構部材４０）とを備えて構成されている。また、本実施の形態の遊技機用押ボタン装置１０は、押ボタン１１を第２の高さ位置から第１の高さ位置まで下降させる昇降手段（第２の歯車機構部材５０）を備えて構成されている。
【００３３】
本実施の形態において、これら支持部材２０、付勢部材３０、第１の歯車機構部材４０及び第２の歯車機構部材５０は、基台６０に保持されている。基台６０は、平板状の第１の板部材６１及び第２の板部材６２により構成されている。
【００３４】
第１の板部材６１は、遊技機１００の設置面に対して略垂直に起立させて設置されている。そして第１の板部材６１の上辺には、第１の板部材６１に対して鉛直方向に沿って延設して配置された第２の板部材６２が設けられている。すなわち、基台６０は、上述したように、第１の板部材６１及び第２の板部材６２により構成され、この基台６０を側面視すると略断面Ｔ字形状をなして形成されている。
【００３５】
基台６０の正面視中央には、基台６０の軸方向（図３Ａにおいては上下方向。）に沿って延設して配置され、遊技者が遊技中に押下する押ボタン１１が設けられている。また、基台６０の正面視中央には、押ボタン１１と同様に、基台６０の軸方向に沿って延設して配置され、押ボタン１１を昇降可能に支持する支持部材２０が設けられている。
【００３６】
本実施の形態において、押ボタン１１及び支持部材２０は、押ボタン１１の後述する本体部１２に支持部材２０の後述する円柱部２１を挿嵌させて、一体に上下動するように組み付けられている。
【００３７】
また、基台６０の正面視中央には、押ボタン１１及び支持部材２０と同様に、基台６０の軸方向に沿って延設して配置され、押ボタン１１及び支持部材２０を上方に付勢する付勢部材３０が設けられている。
【００３８】
付勢部材３０は、基台６０の第２の板部材６２の上面に載置されている。そして、付勢部材３０には、支持部材２０の後述する棒状部２３が挿通されている。すなわち、付勢部材３０は、第２の板部材６２と支持部材２０の後述する円柱部２１との間に配置されている。
【００３９】
基台６０の正面視左方には、第１の歯車機構部材４０が配置されている。第１の歯車機構部材４０は、押ボタン１１及び支持部材２０を上昇させる役目を果たしている。一方、基台６０の正面視右方には、第２の歯車機構部材５０が配置されている。この第２の歯車機構部材５０は、押ボタン１１及び支持部材２０を上方に付勢する付勢部材３０の付勢力を抑える役目、並びに、押ボタン１１及び支持部材２０を下降させる役目を果たしている。
【００４０】
基台６０の背面側には、第１の歯車機構部材４０及び第２の歯車機構部材５０のそれぞれに対応してモータ４６及びモータ５６が配置されている。そして、モータ４６及びモータ５６には、これらモータ４６及びモータ５６の駆動を制御する図示しない制御手段が設けられている。
【００４１】
制御手段は、モータ４６及びモータ５６の回転を検出する図示しない回転検出手段を備えて構成されている。具体的には、回転検出手段は、第１の歯車機構部材４０の後述するケース体４４の回転が第１の板部材６１に設けられた後述する突出片６４により制限されると、モータ４６の回転状態を検出する役目を果たしている。また、第２の歯車機構部材５０の後述するケース体５４の回転が第１の板部材に設けられた後述する突出片６５により制限されると、モータ５６の回転状態を検出する役目を果たしている。
【００４２】
すなわち、制御手段は、回転検出手段により検出されたモータ４６及びモータ５６の回転状態に基づいて、これらモータ４６及びモータ５６の駆動を制御する役目を果たしている。そして、第１の歯車機構部材４０及び第２の歯車機構部材５０は、制御手段により制御されたモータ４６及びモータ５６の駆動に起因して作動する。
【００４３】
次に、本実施の形態の遊技機用押ボタン装置１０の内部構造について図４及び５に基づいて詳細に説明する。図４は、本発明の一実施の形態である遊技機用押ボタン装置１０の分解した状態を模式的に示す分解斜視図であり、図５は、図３Ｂにおける線Ｉ−Ｉ´を模式的に示す断面図である。
【００４４】
図４及び図５に例示されるように、本実施の形態において、基台６０の第１の板部材６１には、正面視中央に、第１の板部材６１の軸方向に沿って溝６８が形成されている。この溝６８には、支持部材２０を軸支する軸支部材２６が挿嵌されており、軸支部材２６を保持する役目を果たしている。
【００４５】
また、第１の板部材６１の正面視左上方には、第１の歯車機構部材４０の後述するケース体４４の引っ掛け部ととともにバネ４５を掛け渡す突出ピン６６が形成されている。また、第１の板部材６１の正面視左下方には、ケース体４４の回転を制限する突出片６４が形成されている。
【００４６】
一方、第１の板部材６１の正面視右上方には、第２の歯車機構部材５０の後述するケース体５４の引っ掛け部とともにバネ５５を掛け渡す突出ピン６７が形成されている。また、第１の板部材６１の正面視右下方には、ケース体５４の回転を制限する突出片６５が形成されている。
【００４７】
第１の板部材６１の上辺には、上述したように、第２の板部材６２が一体に設けられている。そして、第２の板部材６２には、第２の板部材６２の長手方向に対してほぼ中心に平面視凸形状の孔６３が形成されている。孔６３の幅広部には、支持部材２０の棒状部２３が挿通され、孔６３の幅狭部には、支持部材２０を軸支する軸支部材２６が挿通されている。
【００４８】
第２の板部材６２の上方には、押ボタン１１が配置されている。本実施の形態の押ボタン１１には、支持部材２０の円柱部２１が挿嵌される円筒状の本体部１２が設けられている。本体部１２の一端の周縁には、遊技者が押下するための略球面状の球面部１３が一体に形成されている。また、本体部１２の他端の周縁には、押ボタン１１が上昇した際、上皿１０２の下面に当接することで、上皿１０２より上方に押ボタン１１を抜け止めするフランジ部１４が一体に形成されている。
【００４９】
なお、本実施の形態において、本体部１２は、円筒形状をなして形成されているが、支持部材２０を挿通可能な形状であれば、特に限定されず、筒形状であれば良い。
【００５０】
本実施の形態の支持部材２０には、押ボタン１１の内部に挿嵌される円柱部２１が設けられている。この円柱部２１の上面には、凹部２４が形成されている。そして、凹部２４には、バネ２５が載置されている。
【００５１】
すなわち、バネ２５は、凹部２４と押ボタン１１の球面部１３の下面との間に配置されている。したがって、遊技者が押ボタン１１を押下すると、押ボタン１１には、バネ２５による上方への付勢力が付勢されている。
【００５２】
一方、円柱部２１の下面には、棒状部２３が設けられている。棒状部２３には、第１の歯車機構部材４０及び第２の歯車機構部材５０に咬合する咬合部２２が形成されている。そして、この棒状部２３は、付勢部材３０に挿通されている。
【００５３】
本実施の形態において、付勢部材３０は、基台６０の中央に位置し、第２の板部材６２の上面に載置されている。そして、付勢部材３０には、上述したように、支持部材２０の棒状部２３が挿通されている。
【００５４】
すなわち、付勢部材３０は、第２の板部材６２の上面と支持部材２０の円柱部２１との間に配置されており、支持部材２０には、付勢部材３０による上方への付勢力が付勢されている。
【００５５】
本実施の形態において、第１の歯車機構部材４０は、モータ４６の駆動に起因して回転する第１の平歯車４１と、この第１の平歯車４１に咬合して配置され、第１の平歯車４１の回転に連動して回転する第２の平歯車４２と、第１の平歯車４１の一方向回転運動を伝達し、他方向回転運動を防止するラチェット機構４３とを備えて構成されている。そして、本実施の形態の第１の歯車機構部材４０は、これら第１の平歯車４１、第２の平歯車４２及びラチェット機構４３を収容するケース体４４を備えて構成されている。
【００５６】
第１の平歯車４１には、モータ４６の回転駆動軸４６ａに連結される回転軸４１ａが設けられている。また、第１の平歯車４１には、回転軸４１ａに対し直交して配置され、回転軸４１ａとともに一体に形成された回転輪４１ｂが設けられている。
【００５７】
本実施の形態において、回転輪４１ｂは、略円盤形状をなして形成されている。そして、一方面の外周には、第２の平歯車４２に咬合する歯すじが形成されている。また、回転輪４１ｂの他方面の内周には、ラチェット機構４３に咬合する歯すじが形成されている。
【００５８】
回転輪４１ｂの他方面には、ラチェット機構４３が収容されている。本実施の形態において、ラチェット機構４３には、時計周り方向に向かって刃４３ａが形成されている。また、ラチェット機構４３には、ケース体４４に固定するための円弧状片４３ｂが形成されている。
【００５９】
ケース体４４は、平面視略円形の皿形状をなして形成されている。ケース体４４には、モータ４６の回転駆動軸４６ａが挿通される孔が形成されている。
【００６０】
また、ケース体４４には、孔を挟んで互いに対向して配置され、ラチェット機構４３の円弧状片４３ｂが挿通される円弧状孔４４ａが形成されている。この円弧状孔４４ａは、ラチェット機構４３を回転させないように、係止する役目を果たすものである。
【００６１】
すなわち、本実施の形態の第１の平歯車４１は、モータ４６の駆動によりラチェット機構４３の刃４３ａを弾いて時計周り方向には回転するが、反時計周りには、ラチェット機構４３の刃４３ａと噛み合うことで回転しないように設定されている。
【００６２】
本実施の形態において、第２の歯車機構部材５０は、上述の第１の歯車機構部材４０に対して、第３の平歯車を設けた点及びラチェット機構５３の刃５３ａが反時計周り方向に向けて設けられた点が異なり、他の構成は同様である。したがって、第１の歯車機構部材４０と同一又は相当する部分については、その説明を省略する。
【００６３】
本実施の形態の第２の歯車機構部材５０は、上述したように、第１の平歯車５１、第２の平歯車５２の他に、第３の平歯車を設けて構成されている。この第３の平歯車は、支持部材２０の咬合部２２に常に咬合した状態を維持して配置されている。
【００６４】
第３の平歯車は、第１の板部材６１に回転自在に設けられている。つまり、第３の平歯車は、支持部材２０の上下動に連動して回転するように配置されている。
【００６５】
また、本実施の形態の第２の歯車機構部材５０は、上述したように、ラチェット機構５３の刃５３ａが反時計周り方向に向けて形成されている。そして、ラチェット機構５３は、第１の歯車機構部材４０のラチェット機構４３と同様に、第１の平歯車５１の回転輪５１ｂの他方面に収容されている。
【００６６】
すなわち、本実施の形態の第１の平歯車５１は、モータ５６の駆動によりラチェット機構５３の刃５３ａを弾いて反時計周り方向には回転するが、時計周り方向にはラチェット機構５３の刃５３ａと噛み合うことで回転しないように設定されている。
【００６７】
次に、本実施の形態の遊技機用押ボタン装置１０の動作について図６Ａ、図６Ｂ、図６Ｃ、図６Ｄ、図６Ｅ、図６Ｆ及び図６Ｇを用いて説明する。図６Ａは、本発明の一実施の形態である遊技機用押ボタン装置１０の第１の動作を模式的に示す正面図であり、図６Ｂは、本発明の一実施の形態である遊技機用押ボタン装置１０の第２の動作を模式的に示す正面図であり、図６Ｃは、本発明の一実施の形態である遊技機用押ボタン装置１０の第３の動作を模式的に示す正面図であり、図６Ｄは、本発明の一実施の形態である遊技機用押ボタン装置１０の第４の動作を模式的に示す正面図であり、図６Ｅは、本発明の一実施の形態である遊技機用押ボタン装置１０の第５の動作を模式的に示す正面図であり、図６Ｆは、本発明の一実施の形態である遊技機用押ボタン装置１０の第６の動作を模式的に示す正面図であり、図６Ｇは、本発明の一実施の形態である遊技機用押ボタン装置１０の第７の動作を模式的に示す正面図である。
【００６８】
図６Ａに例示されるように、通常、本実施の形態の遊技機用押ボタン装置１０の押ボタン１１が遊技機１００の上皿１０２の傾斜面１０２ｂの上面に対してほぼフラットな状態、すなわち、初期位置である第１の高さ位置で維持されている。
【００６９】
まず、この状態では、第２の歯車機構部材５０に設けられたモータ５６は、図示しない制御手段により制御されることで停止している。モータ５６を停止させることで、第２の歯車機構部材５０の第２の平歯車５２と第３の平歯車５７とが咬合した状態を維持している。
【００７０】
なお、モータ５６の駆動に起因して第１の平歯車５１を、正面視反時計周り方向に回転させることで、第２の歯車機構部材５０の第２の平歯車５２と第３の平歯車５７とが咬合した状態を維持させても良い。
【００７１】
また、第１の歯車機構部材４０に設けられたモータ４６も、図示しない制御手段により制御されることで停止している。モータ４６を停止させることで、第１の歯車機構部材４０の第２の平歯車４２と支持部材２０の咬合部２２とが離れた状態を維持している。
【００７２】
なお、モータ４６の駆動に起因して第１の平歯車４１を、正面視反時計周り方向に回転させることで、第１の歯車機構部材４０の第２の平歯車４２と支持部材２０の咬合部２２とが離れた状態を維持させても良い。
【００７３】
このように、第２の歯車機構部材５０の第２の平歯車５２と第３の平歯車とが咬合した状態を維持することで、押ボタン１１を上方に付勢する付勢部材３０の付勢力を抑えている。これにより、通常、遊技機用押ボタン装置１０は、押ボタン１１を遊技機１００の上皿１０２の傾斜面１０２ｂに対してフラットな状態、すなわち、初期位置である第１の高さ位置で維持している。
【００７４】
このとき、上皿１０２の傾斜面１０２ｂは、下方に向かって傾斜しているため、例えば、この傾斜面１０２ｂに物を置いたとしても、下方に滑り落ちてしまう。したがって、この傾斜面１０２ｂには、物を置くことができない。このように、この傾斜面１０２ｂに設けられた遊技機用押ボタン装置１０の上に物を置くことができないので、押ボタン１１の昇降動作を妨げないようにすることができる。
【００７５】
図６Ｂに例示されるように、第２の歯車機構部材５０の第２の平歯車５２と第３の平歯車５７とが離れた状態で維持されている。これにより、押ボタン１１を上方に付勢する付勢部材３０の付勢力が開放され、押ボタン１１は、第１の高さ位置から上昇する。
【００７６】
この状態では、第２の歯車機構部材５０に設けられたモータ５６は、図示しない制御手段により制御されて回転駆動軸５６ａを正面視時計周り方向に回転させる。そして、モータ５６の駆動に起因して、ケース体５４が正面視時計周り方向に回転する。このとき、第１の平歯車５１は、回転輪５１ｂの内周面に形成された歯すじと、ラチェット機構５３の刃５３ａとが噛み合うことで回転しない。
【００７７】
そして、第１の平歯車５１が回転せずに、ケース体５４が正面視時計周り方向に回転することで、第２の平歯車５２と第３の平歯車とが離れる。また、ケース体５４が正面視時計周り方向に回転することで、ケース体５４の引っ掛け部に掛け渡されたバネを引張る。
【００７８】
一方、第１の歯車機構部材４０に設けられたモータ４６は、図示しない制御手段により制御されてることで停止している。モータ４６を停止させることで、第１の歯車機構部材４０の第２の平歯車４２と支持部材２０の咬合部２２とが離れた状態を維持している。
【００７９】
なお、モータ４６の駆動に起因して第１の平歯車４１を、正面視反時計周り方向に回転させることで、第１の歯車機構部材４０の第２の平歯車４２と支持部材２０の咬合部２２とが離れた状態を維持させても良い。
【００８０】
図６Ｃ及び図６Ｄに例示されるように、第１の歯車機構部材４０の第２の平歯車４２と支持部材２０の咬合部２２とが咬合した状態で維持されている。これにより、押ボタン１１を付勢部材３０により上昇させた位置から第２の高さ位置に上昇させる。
【００８１】
この状態では、第１の歯車機構部材４０に設けられたモータ４６は、図示しない制御手段により制御されて回転駆動軸４６ａを正面視時計周り方向に回転させる。そして、モータ４６の駆動に起因して第１の平歯車４１が正面視時計周り方向に回転する。このとき、第１の平歯車４１は、ラチェット機構４３の刃を弾いて正面視時計周り方向に回転する。
【００８２】
また、第１の平歯車４１が正面視時計周り方向に回転するとともに、ケース体４４の引っ掛け部により引張されていたバネ４５の弾性力が開放され、このバネ４５の弾性力によりケース体４４も正面視時計周り方向に回転する。
【００８３】
ケース体４４を正面視時計周り方向に回転させることで、第２の平歯車４２と支持部材２０の咬合部２２とが咬合するように配置される。そして、第１の平歯車４１を正面視時計周り方向に回転させることで、この第１の平歯車４１の回転に連動して第２の平歯車４２が正面視反時計周り方向に回転する。
【００８４】
このとき、第２の平歯車４２が支持部材２０の咬合部２２から外れないように、ケース体４４には、バネ４５の弾性力が付勢されている。これにより、第２の平歯車４２と支持部材２０の咬合部２２とが咬合した状態で維持されるとともに、第１の平歯車４１の回転に連動して第２の平歯車４２が正面視反時計周り方向に回転することで、押ボタン１１は、付勢部材３０により上昇させた位置から第２の高さ位置に上昇する。
【００８５】
一方、第２の歯車機構部材５０に設けられたモータ５６は、図示しない制御手段により制御されることで停止している。モータ５６を停止させることで、第２の歯車機構部材５０の第２の平歯車５２と第３の平歯車５７とが離れた状態を維持している。
【００８６】
なお、モータ５６の駆動に起因して第１の平歯車５１を、正面視時計周り方向に回転させることで、第２の平歯車５２と第３の平歯車５７とが離れた状態を維持させても良い。
【００８７】
本実施の形態において、基台６０の第２の板部材６２に載置された付勢部材１３の上下方向の長さが、第２の板部材６２の上面から上皿１０２の下面までの距離より短いため、付勢部材３０により押ボタン１１を上昇させた際、押ボタン１１のフランジ部が上皿１０２にあたらないため、押ボタン１１の破損を予防することができる。
【００８８】
また、付勢部材３０により上昇させた位置から第１の歯車機構部材４０により第２の高さ位置まで押ボタン１１を上昇させることで、遊技者に強いインパクトを与えることができる。
【００８９】
図６Ｅ、図６Ｆ及び図６Ｇに例示されるように、第２の歯車機構部材５０の第２の平歯車５２と第３の平歯車５７とが咬合した状態で維持され、第１の歯車機構部材４０の第２の平歯車４２と支持部材２０の咬合部２２とが離れた状態で維持されている。これにより、押ボタン１１を第２の高さ位置から第１の高さ位置まで下降させる。
【００９０】
この状態では、第１の歯車機構部材４０に設けられたモータ４６は、図示しない制御手段により制御されて回転駆動軸４６ａを正面視反時計周り方向に回転させる。そして、モータ４６の駆動に起因して、ケース体４４が正面視反時計周り方向に回転する。このとき、第１の平歯車４１は、第１の平歯車４１の内周面に形成された歯すじと、ラチェット機構４３の刃４３ａとが噛み合うことで回転しない。
【００９１】
そして、第１の平歯車４１が回転せずに、ケース体４４が正面視反時計周り方向に回転することで、第２の平歯車４２と支持部材２０の咬合部２２とが離れる。また、ケース体４４が正面視反時計周り方向に回転することで、ケース体４４の引っ掛け部に掛け渡されたバネを引張る。
【００９２】
一方、第２の歯車機構部材５０に設けられたモータ５６は、図示しない制御手段により制御されて回転駆動軸５６ａを正面視反時計周り方向に回転させる。そして、モータ５６の駆動に起因して第１の平歯車５１が正面視反時計周り方向に回転する。このとき、第１の平歯車５１は、ラチェット機構５３の刃を弾いて正面視時計周り方向に回転する。
【００９３】
また、第１の平歯車５１が正面視反時計周り方向に回転するとともに、ケース体５４の引っ掛け部により引張されていたバネ５５の弾性力が開放され、このバネ５５の弾性力によりケース体５４も正面視反時計周り方向に回転する。
【００９４】
ケース体５４を正面視反時計周り方向に回転させることで、第２の平歯車５２と第３の平歯車５７とが咬合するように配置される。そして、第１の平歯車５１を正面視反時計周り方向に回転させることで、この第１の平歯車５１の回転に連動して第２の平歯車５２が正面視時計周り方向に回転し、第２の平歯車５２の回転に連動して第３の平歯車５７が正面視反時計周り方向に回転する。
【００９５】
このとき、第２の平歯車５２が第３の平歯車５７から外れないように、ケース体５４には、バネ５５の弾性力が付勢されている。これにより、第２の平歯車５２と第３の平歯車５７とが咬合した状態で維持されるとともに、第１の平歯車５１の回転に連動して第２の平歯車５２及び第３の平歯車５７が回転することで、押ボタン１１は、第２の高さ位置から第１の高さ位置まで下降する。
【００９６】
このように、本実施の形態の遊技機用押ボタン装置１０は、互いに異なる一方向に回転する第１の平歯車４１及び第１の平歯車５１を備えた第１の歯車機構部材４０及び第２の歯車機構部材５０を有し、第１の歯車機構部材４０により付勢部材３０で上昇させた押ボタン１１の位置より更に上昇させるとともに、その後、第２の歯車機構部材５０により下降させることで、操作可能な状態になった際、常に、押ボタン１１を上皿１０２より突出させることができる。
【００９７】
したがって、本実施の形態の遊技機用押ボタン装置１０によれば、押ボタン１１が操作可能な状況になったことを、常に、遊技者に強いインパクトを与えて伝えることができる。また、本実施の形態の遊技機用押ボタン装置１０は、上述したように、上皿１０２の傾斜面１０２ｂに設けられているため、遊技機用押ボタン装置１０の上に物を置くことができず、これにより、押ボタン１１の昇降動作を妨げないようにすることができる。
【００９８】
よって、本実施の形態の遊技機用押ボタン装置１０の支持構造によれば、押ボタン１１を遊技機１００の本体に対して昇降させることで、遊技者にインパクトを与えることができるとともに、押ボタン１１の上面に物を載せないように施すことで、押ボタン１１の昇降動作を妨げないようにすることができる。
【００９９】
（実施の形態２）
次に、本発明の他の実施の形態である遊技機２００について、図７Ａ、図７Ｂ、図８Ａ及び図８Ｂを用いて説明する。図７Ａは、本発明の他の実施の形態である遊技機２００の構成について、遊技機用押ボタン装置２１０が第１の高さ位置に位置する状態を前方から模式的に示す表面斜視図であり、図７Ｂは、本発明の他の実施の形態である遊技機２００の構成について、遊技機用押ボタン装置２１０が第１の高さ位置に位置する状態を側方から模式的に示す側面図である。
【０１００】
また、図８Ａは、本発明の他の実施の形態である遊技機２００の構成について、遊技機用押ボタン装置２１０が第２の高さ位置に位置する状態を前方から模式的に示す表面斜視図であり、図８Ｂは、本発明の他の実施の形態である遊技機２００の構成について、遊技機用押ボタン装置２１０が第２の高さ位置に位置する状態を側方から模式的に示す側面図である。
【０１０１】
本実施の形態の遊技機２００は、上述の実施の形態１に対して、遊技機用押ボタン装置２１０を遊技機２００に対して、上下方向に沿って、昇降動作を可能にしている点が異なり、他の構成は同様である。したがって、実施の形態１と同一又は相当する部分については、同様の符号を付してその説明を省略する。
【０１０２】
図７Ａ、図７Ｂ、図８Ａ及び図８Ｂに例示されるように、本実施の形態の遊技機２００の遊技機用押ボタン装置２１０は、押ボタン２１１の球面部２１３（押下面）が上皿２０２の傾斜面２０２ｂに沿って形成されるとともに、遊技機２００の上下方向に沿って昇降可能に支持されている。
【０１０３】
このように、本実施の形態の遊技機用押ボタン装置２１０は、上述したように、上皿２０２の傾斜面２０２ｂに沿って、押ボタン２１１の球面部２１３が形成されているため、遊技機用押ボタン装置２１０の上に物を置くことができず、これにより、押ボタン２１１の昇降動作を妨げないようにすることができる。
【０１０４】
よって、本実施の形態の遊技機用押ボタン装置２１０の支持構造によれば、押ボタン２１１を遊技機２００の本体に対し、上下方向に沿って昇降させることで、遊技者にインパクトを与えることができるとともに、押ボタン２１１の球面部２１３が上皿２０２の傾斜面２０２ｂに沿って形成されているため、押ボタン２１１の上に物を載せないように施すことで、押ボタン２１１の昇降動作を妨げないようにすることができる。
【０１０５】
（実施の形態３）
次に、本発明の他の実施の形態である遊技機３００について、図９Ａ、図９Ｂ、図１０Ａ及び図１０Ｂを用いて説明する。図９Ａは、本発明の他の実施の形態である遊技機３００の構成について、遊技機用押ボタン装置１０が第１の高さ位置に位置する状態を前方から模式的に示す表面斜視図であり、図９Ｂは、本発明の他の実施の形態である遊技機３００の構成について、遊技機用押ボタン装置１０が第１の高さ位置に位置する状態を側方から模式的に示す側面図である。
【０１０６】
また、図１０Ａは、本発明の他の実施の形態である遊技機３００の構成について、遊技機用押ボタン装置１０が第２の高さ位置に位置する状態を前方から模式的に示す表面斜視図であり、図８Ｂは、本発明の他の実施の形態である遊技機３００の構成について、遊技機用押ボタン装置１０が第２の高さ位置に位置する状態を側方から模式的に示す側面図である。
【０１０７】
本実施の形態の遊技機３００は、上述の実施の形態１に対して、遊技機用押ボタン装置１０を上皿３０２の凹部３０２ｃに設けた点が異なり、他の構成は同様である。したがって、実施の形態１と同一又は相当する部分については、同様の符号を付してその説明を省略する。
【０１０８】
図９Ａ、図９Ｂ、図１０Ａ及び図１０Ｂに例示されるように、本実施の形態の遊技機３００において、上皿３０２は、遊技機３００に対し、遊技者側に向かって略直交する直交面３０２ａと、この直交面３０２ａから下方に向かって傾斜する傾斜面３０２ｂと、上皿３０２の外郭線に対して凹んだ凹部３０２ｃとを有して形成されている。
【０１０９】
そして、遊技機用押ボタン装置１０は、凹部３０２ｃに設けられている。このように、本実施の形態の遊技機用押ボタン装置１０は、上皿３０２の外郭線に対して凹んだ凹部３０２ｃに設けられているため、上皿３０２の外郭線からの突出幅を少なくすることが可能になる。すなわち、押ボタン１１の昇降動作をほぼ凹部３０２ｃ内で行っているため、例えば、上皿３０２の近くに遊技者の手があったとしても、遊技者の手にあたることを、事前に抑止することができるので、押ボタン１１の昇降動作を妨げないようにすることできる。
【０１１０】
また、凹部３０２ｃの下方側には、開口部が設けられている。このように、凹部３０２ｃの下方側に開口部が設けられることで、凹部３０２ｃに物を置いても下方に滑り落ちてしまう。したがって、凹部３０２ｂに物を置くことができないため、押ボタン１１の昇降動作を妨げないようするにすることができる。
【０１１１】
よって、本実施の形態の遊技機用押ボタン装置１０の支持構造によれば、押ボタン１１を遊技機３００の本体に対して昇降させることで、遊技者にインパクトを与えることができるとともに、押ボタン１１の上面に物を載せないように施すことで、押ボタン１１の昇降動作を妨げないようにすることができる。
【符号の説明】
【０１１２】
１０      遊技機用押ボタン装置
１１      押ボタン
１２      本体部
１３      球面部
１４      フランジ部
２０      支持部材
２１      円柱部
２２      咬合部
２３      棒状部
２４      凹部
２５      バネ
２６      軸支部材
３０      付勢部材
４０      第１の歯車機構部材
４１      第１の平歯車
４２      第２の平歯車
４３      ラチェット機構
４４      ケース体
４５      バネ
４６      モータ
５０      第２の歯車機構部材
５１      第１の平歯車
５２      第２の平歯車
５３      ラチェット機構
５４      ケース体
５５      バネ
５６      モータ
５７      第３の平歯車
６０      基台
６１      第１の板部材
６２      第２の板部材
６３      孔
６４      突出片
６５      突出片
６６      突出ピン
６７      突出ピン
６８      溝
１００    遊技機
１０１    操作ハンドル
１０２    上皿
１０２ａ  直交面
１０２ｂ  傾斜面
１１０    支持体
１１１    上板
１１２    下板
１１３    側板
１１４    側板
１２０    透過部材
２００    遊技機
２０２    上皿
２０２ａ  直交面
２０２ｂ  傾斜面
２１０    遊技機用押ボタン装置
３００    遊技機
３０２    上皿
３０２ａ  直交面
３０２ｂ  傾斜面
３０２ｃ  凹部
【図１Ａ】
0005520694.tif 000002
【図１Ｂ】
0005520694.tif 000003
【図２Ａ】
0005520694.tif 000004
【図２Ｂ】
0005520694.tif 000005
【図３Ａ】
0005520694.tif 000006
【図３Ｂ】
0005520694.tif 000007
【図３Ｃ】
0005520694.tif 000008
【図４】
0005520694.tif 000009
【図５】
0005520694.tif 000010
【図６Ａ】
0005520694.tif 000011
【図６Ｂ】
0005520694.tif 000012
【図６Ｃ】
0005520694.tif 000013
【図６Ｄ】
0005520694.tif 000014
【図６Ｅ】
0005520694.tif 000015
【図６Ｆ】
0005520694.tif 000016
【図６Ｇ】
0005520694.tif 000017
【図７Ａ】
0005520694.tif 000018
【図７Ｂ】
0005520694.tif 000019
【図８Ａ】
0005520694.tif 000020
【図８Ｂ】
0005520694.tif 000021
【図９Ａ】
0005520694.tif 000022
【図９Ｂ】
0005520694.tif 000023
【図１０Ａ】
0005520694.tif 000024
【図１０Ｂ】
0005520694.tif 000025